(57)【特許請求の範囲】
【請求項１】
基準信号を発生する基準信号発生手段と、前記基準信号に基づいて強度が異なる複数のパルス信号をモータに出力してそのモータを駆動するパルス制御手段と、前記モータにより回転する輪列と、前記輪列により回転する表示手段と、前記表示手段の所定の位置を検出する位置検出手段と、前記モータの回転・非回転を検出して回転信号または非回転信号を出力する回転判定手段と、を具備し、
前記輪列に一定周期で高負荷をかける高負荷手段を設け、輪列に高負荷がかかった場合であって所定強度以上のパルス信号を前記モータに出力したときにのみモータが回転し、
前記パルス制御手段は、通常駆動パルスを出力し、その通常駆動パルスの出力後に前記回転判定手段から非回転信号が出力された場合に前記通常駆動パルスよりも大きな強度の第１補助駆動パルスを出力し、その第１補助駆動パルスの出力後に前記回転判定手段から非回転信号が出力された場合に前記第１補助駆動パルスよりも大きく前記所定強度以上の第２補助駆動パルスを出力し、
前記位置検出手段は、前記第２補助駆動パルスが出力されたときに前記表示手段が前記所定の位置にあると判定することを特徴とする電子時計。
【請求項２】
前記位置検出手段は、第１補助駆動パルスの出力後、前記回転判定手段から非回転信号が出力されたときに前記表示手段が前記所定の位置にきたと判定することを特徴とする請求項１に記載の電子時計。
【請求項３】
前記パルス制御手段から最初に前記第２補助駆動パルスが出力されたときから前記モータの回転回数をカウントする回転回数計数手段と、
前記回転回数が輪列に高負荷がかかる周期に対応する回転回数に達したときに前記第２補助駆動パルスを出力するための制御信号を前記パルス制御手段に出力する回転回数判定手段とを具備したことを特徴とする請求項１または請求項２に記載の電子時計。
【請求項４】
前記モータの回転回数が、輪列に高負荷がかかる周期に対応する回転回数に達する間に前記第２補助駆動パルスの出力回数をカウントするパルス出力回数計数手段と、
その第２補助駆動パルスの出力回数が所定の回数以上になったときに前記パルス信号の生成を停止するための制御信号を前記パルス制御手段に出力するパルス回数判定手段とを具備したことを特徴とする請求項３に記載の電子時計。
【請求項５】
前記モータの回転回数が、輪列に高負荷がかかる周期に対応する回転回数に達する間に前記第２補助駆動パルスの出力回数をカウントするパルス出力回数計数手段と、
その第２補助駆動パルスの出力回数が所定の回数以上になったとき、前記パルス信号の出力間隔を変更するための制御信号を前記パルス制御手段に出力するパルス回数判定手段とを具備したことを特徴とする請求項３に記載の電子時計。
【請求項６】
基準信号を発生する基準信号発生手段と、前記基準信号に基づいて強度が異なる複数のパルス信号をモータに出力してそのモータを駆動するパルス制御手段と、前記モータにより回転する輪列と、前記輪列により回転する表示手段と、前記表示手段の所定の位置を検出する位置検出手段と、前記モータの回転・非回転を検出して回転信号または非回転信号を出力する回転判定手段とを具備し、
前記輪列に一定周期で連続的に複数回高負荷をかける高負荷手段を設け、輪列に高負荷がかかった場合であって所定強度以上のパルス信号を連続して複数回前記モータに出力したときにのみモータが回転し、
前記パルス制御手段は、通常駆動パルスを出力し、その通常駆動パルスの出力後に前記回転判定手段から非回転信号が出力された場合に前記通常駆動パルスよりも大きな強度の第１補助駆動パルスを出力し、その第１補助駆動パルスの出力後に前記回転判定手段から非回転信号が出力された場合に前記第１補助駆動パルスよりも大きく前記所定強度以上の第２補助駆動パルスを出力し、
前記位置検出手段は、前記第２補助駆動パルスが連続して複数回出力され且つその後に前記通常駆動パルスまたは前記第１補助駆動パルスを出力して前記回転判定手段から回転信号が出力されたときに、前記表示手段が前記所定の位置にあると判定することを特徴とする電子時計。
【請求項７】
表示手段が所定の位置にきたことを検出する指針位置検出方法において、
前記表示手段を回転させる輪列に一定の周期で高負荷をかけ、高負荷がかかった場合であってその輪列を回転させるモータに所定の強度以上のパルス信号を出力したときにのみモータが回転するようにし、
前記モータに通常駆動パルスを出力してモータが回転したか否かを判定し、通常パルスにより前記モータが回転しない場合は前記モータに通常駆動パルスよりも大きな強度の第１補助駆動パルスを出力してモータが回転したか否かを判定し、第１補助駆動パルスにより前記モータが回転しない場合は前記モータに第１補助駆動パルスよりも大きく前記所定強度以上の第２補助駆動パルスを出力し、
前記第２補助駆動パルスを出力したときに、前記表示手段が前記所定の位置にあると判定することを特徴とする指針位置検出方法。
【請求項８】
前記第１補助駆動パルスにより前記モータが回転しないとき、前記表示手段が前記所定の位置にあると判定することを特徴とする請求項７に記載の指針位置検出方法。
【請求項９】
前記モータの回転回数をカウントし、その回転回数が輪列に高負荷がかかる周期に対応する回転回数に達したときに前記第２補助駆動パルスを出力することを特徴とする請求項７または請求項８に記載の指針位置検出方法。
【請求項１０】
前記モータの回転回数が輪列に高負荷がかかる周期に対応する回転回数に達する間に前記第２補助駆動パルスの出力回数をカウントし、その出力回数が所定回数以上になったときに前記パルス信号の生成を停止することを特徴とする請求項９に記載の指針位置検出方法。
【請求項１１】
前記モータの回転回数が輪列に高負荷がかかる周期に対応する回転回数に達する間に前記第２補助駆動パルスの出力回数をカウントし、その出力回数が所定回数以上になったときに前記パルス信号の出力の間隔を変更することを特徴とする請求項９に記載の指針位置検出方法。
【請求項１２】
表示手段が所定の位置にきたことを検出する指針位置検出方法において、
前記表示手段を回転させる輪列に一定の周期で連続して複数回高負荷をかけ、高負荷がかかった場合であってその輪列を回転させるモータに所定強度以上のパルス信号を連続して複数回出力したときにのみモータが回転するようにし、
前記モータに通常駆動パルスを出力してモータが回転したか否かを判定し、通常パルスにより前記モータが回転しない場合は前記モータに通常駆動パルスよりも大きな強度の第１補助駆動パルスを出力してモータが回転したか否かを判定し、第１補助駆動パルスにより前記モータが回転しない場合は前記モータに第１補助駆動パルスよりも大きく所定強度以上の第２補助駆動パルスを出力し、
前記第２補助駆動パルスが連続して複数回出力されかつその後に前記通常駆動パルスまたは前記第１補助駆動パルスの出力後に前記モータが回転したときに、前記表示手段が前記所定の位置にあると判定することを特徴とする指針位置検出方法。
【発明の詳細な説明】
【０００１】
【発明の属する技術分野】
本発明は、電子時計および指針位置検出方法に関し、より詳細には、指針が所定の位置にきたことを検出して特定の動作を行うための信号を取得する電子時計および指針位置検出方法に関する。
【０００２】
【従来の技術】
電子時計においては、指針が所定位置にきたときに特定動作を行うようにしている。特定の動作の例としては、時報を鳴らす、カレンダを回すや外部から受信した電波に基づいて時刻を合わせるなどが挙げられる。例えば、分針が１２時を指したときに時報を鳴らす場合は、分針が１２時を指したことを検出して、時報を鳴らす回路に時報信号を出力する。すなわち、電子時計において、指針が所定の位置にきたときに特定の動作を行うためには、指針の位置を検出することが必要となる。
【０００３】
このような従来例としては、機械的接点を用いて指針の位置を検出する技術が知られている。機械的接点を用いる技術では、例えば分針車に突起状のカムを設けると共に、その分針車に臨んで板バネからなる接触子を設け、分針車が一時間に一回転する度に接触子がカムに引っ掛かって一対の接点バネ間で揺動するので、接触子がカムに引っ掛かったときに分針が所定の位置（例えば、１２時を指す位置）にきたものと判断して所定動作を行う信号（例えば、時報信号）を出力する。
【０００４】
また、特開昭５５−８２０８０号公報、特開昭６１−１１８４８３号公報および実開昭５６−１０８８３号公報には、指針の位置を光学的に検出する技術が開示されている。この技術では、輪列の歯車を少なくともその一部が重なるように配置し、各歯車に一定の周期（例えば、一時間に一回）で一致する透子を設け、各透子が一致する位置の軸方向延長上に発光素子と受光素子を配置し、発光素子からの光を受光素子で受光したときに各透子が一致することになるから、このときに指針が所定の位置（例えば、１２時を指す位置）にきたと判断し、所定動作を行う信号（例えば、時報信号）を出力する。
【０００５】
【発明が解決しようとする課題】
しかしながら、機械的接点を用いて指針の位置を検出する場合は、接触子および接点バネの劣化に起因して検出精度が低下してしまう問題点があった。また、接触子が輪列の回転抵抗となるのでモータのトルクを大きくしなければならず、消費電力が増加してしまう問題点があった。
【０００６】
一方、指針の位置を光学的に検出する場合は、発光素子と受光素子が必要となるのでコストが高くなり、時計のコンパクト化が困難になるという問題点があった。また、狭いスペースに発光素子や受光素子を配置しなければならないので構造が複雑になってしまうという問題点があった。また、発光素子と受光素子を動作させるために消費電力が増加してしまうという問題点があった。
【０００７】
本発明は上記の点に鑑みてなされたものであって、精度良く且つ個別の電気的素子を付加することなく指針の位置を検出する電子時計および指針位置検出方法を提供することを目的とする。
【０００８】
【課題を解決しようとするための手段】
以上の目的を達成するために、本発明に係る電子時計は、基準信号を発生する基準信号発生手段と、前記基準信号に基づいて強度が異なる複数のパルス信号をモータに出力してそのモータを駆動するパルス制御手段と、前記モータにより回転する輪列と、前記輪列により回転する表示手段と、前記表示手段の所定の位置を検出する位置検出手段と、前記モータの回転・非回転を検出して回転信号または非回転信号を出力する回転判定手段と、を具備し、前記輪列に一定周期で高負荷をかける高負荷手段を設け、輪列に高負荷がかかった場合であって所定強度以上のパルス信号を前記モータに出力したときにのみモータが回転し、前記パルス制御手段は、通常駆動パルスを出力し、その通常駆動パルスの出力後に前記回転判定手段から非回転信号が出力された場合に前記通常駆動パルスよりも大きな強度の第１補助駆動パルスを出力し、その第１補助駆動パルスの出力後に前記回転判定手段から非回転信号が出力された場合に前記第１補助駆動パルスよりも大きく前記所定強度以上の第２補助駆動パルスを出力し、前記位置検出手段は、前記第２補助駆動パルスが出力されたときに前記表示手段が前記所定の位置にあると判定するものである。
【０００９】
また、本発明に係る指針位置検出方法は、表示手段が所定の位置にきたことを検出する指針位置検出方法において、前記表示手段を回転させる輪列に一定の周期で高負荷をかけ、高負荷がかかった場合であってその輪列を回転させるモータに所定の強度以上のパルス信号を出力したときにのみモータが回転するようにし、前記モータに通常駆動パルスを出力してモータが回転したか否かを判定し、通常パルスにより前記モータが回転しない場合は前記モータに通常駆動パルスよりも大きな強度の第１補助駆動パルスを出力してモータが回転したか否かを判定し、第１補助駆動パルスにより前記モータが回転しない場合は前記モータに第１補助駆動パルスよりも大きく前記所定強度以上の第２補助駆動パルスを出力し、前記第２補助駆動パルスを出力したときに、前記表示手段が前記所定の位置にあると判定するものである。
【００１０】
上記特公昭６３−１８１４８号公報、特公昭６３−１８１４９号公報や特公昭５７−１８４４０号公報には、輪列を回転させるモータに比較的に弱い通常駆動パルスを出力してモータが回転したのを検出し、その通常駆動パルスによりモータが回転しなかったときに比較的に強い補助駆動パルスを出力してモータを必ず回転させるといった技術が開示されている。通常、モータは消費電力の少ない通常駆動パルスで回転させ、何らかの理由でモータに負荷がかかったときにのみ消費電力の大きな補助駆動パルスを用いることで、消費電力を低減することができる。
【００１１】
そこで、本発明では、表示手段が所定位置にきたときに輪列に高負荷がかかり、その高負荷がかかった場合であって所定強度以上のパルス信号をモータに出力したときにのみモータが回転するようにした。通常、モータは通常駆動パルスまたは第１補助駆動パルスで回転するが、輪列に高負荷がかかったときは回転しないのでさらに強い第２補助駆動パルスによって回転させるようにしている。従って、第２補助駆動パルスを出力しなければならないのは前記表示手段が所定位置にあるからだから、この第２補助駆動パルスにより表示手段の所定位置を検出することが可能になる。しかも、従来のような受光素子などは必要としない。
【００１２】
例えば、分針が１２時を指すときに輪列に対して高負荷がかかるようにした場合は、分針が１２時を指すときにモータを回転させるための第２補助駆動パルスが必要となる。従って、第２補助駆動パルスを出力したときに、分針が１２時を指すことになる。
【００１３】
また、本発明に係る電子時計は、上記電子時計において、前記位置検出手段は、第１補助駆動パルスの出力後、前記回転判定手段から非回転信号が出力されたときに前記表示手段が前記所定の位置にきたと判定するものである。
【００１４】
また、本発明に係る指針位置検出方法は、上記指針位置検出方法において、前記第１補助駆動パルスにより前記モータが回転しないとき、前記表示手段が前記所定の位置にあると判定するものである。
【００１５】
すなわち、本発明は、モータが第１補助駆動パルスで回転しなかったときは、表示手段が所定位置にきたものと判定するようにしたものである。なお、モータは、輪列に高負荷がかかっている場合、第１補助駆動パルスはで回転しない。従って、モータが第１補助駆動パルスで回転しなかったときは、輪列に高負荷がかかっていること、すなわち表示手段が所定位置にあることになり、それゆえ電子時計を動作させるために必要な構成を利用して指針の位置を検出することができることとなる。
【００１６】
また、本発明に係る電子時計は、上記電子時計において、前記パルス制御手段から最初に前記第２補助駆動パルスが出力されたときから前記モータの回転回数をカウントする回転回数計数手段と、前記回転回数が輪列に高負荷がかかる周期に対応する回転回数に達したときに前記第２補助駆動パルスを出力するための制御信号を前記パルス制御手段に出力する回転回数判定手段とを具備したものである。
【００１７】
また、本発明に係る指針位置検出方法は、上記指針位置検出方法において、前記モータの回転回数をカウントし、その回転回数が輪列に高負荷がかかる周期に対応する回転回数に達したときに前記第２補助駆動パルスを出力するものである。
【００１８】
すなわち、本発明では、最初に第２補助駆動パルスが出力されたときからモータの回転回数をカウントし、その回転回数が輪列に高負荷がかかる周期に対応する回転回数に達したときは、通常駆動パルスや第１補助駆動パルスを出力せずに第２補助駆動パルスを出力するようにした。なお、輪列に一定の周期で高負荷がかかるので、最初に第２補助駆動パルスが出力されたときからモータの回転回数をカウントすることによりつぎにいつ高負荷がかかるかを予測することができる。従って、高負荷がかかることを予測したときに第２補助駆動パルスを直接出力することが可能になり、この結果、通常駆動パルスや第１補助駆動パルスを出力するために必要な消費電力をセーブすることができることとなる。
【００１９】
例えば、分針が１２時を指すときに輪列に高負荷がかかるようにした場合、モータが１秒に１回転するとして、輪列に最初に高負荷がかかったときからモータの３６００回転後に輪列にもう一度高負荷がかかることになる。従って、輪列に最初に高負荷がかかったときから起算してモータの回転回数が３６００に達したときは、第２補助駆動パルスでないとモータが回転しないことが分かるのであり、この場合は、通常駆動パルスや第１補助駆動パルスを出力せずに直接第２補助駆動パルスを出力して、通常駆動パルスや第１補助駆動パルスを出力するための消費電力をセーブするようにするのである。
【００２０】
また、本発明に係る電子時計は、上記電子時計において、前記モータの回転回数が、輪列に高負荷がかかる周期に対応する回転回数に達する間に前記第２補助駆動パルスの出力回数をカウントするパルス出力回数計数手段と、その第２補助駆動パルスの出力回数が所定の回数以上になったときに前記パルス信号の生成を停止するための制御信号を前記パルス制御手段に出力するパルス回数判定手段とを具備したものである。
【００２１】
また、本発明に係る指針位置検出方法は、上記指針位置検出方法において、前記モータの回転回数が輪列に高負荷がかかる周期に対応する回転回数に達する間に前記第２補助駆動パルスの出力回数をカウントし、その出力回数が所定回数以上になったときに前記パルス信号の生成を停止するものである。
【００２２】
すなわち、本発明は、最初に第２補助駆動パルスが出力されたときからモータの回転回数をカウントし、その回転回数が輪列に高負荷がかかる周期に対応する回転回数に達するまで第２補助駆動パルスの出力回数をカウントするようにしたものである。この第２補助駆動パルスの出力回数が所定回数以上になったときは、何らかの原因で予測していない高負荷が輪列にかかっていること、すなわち時計が故障していることになる。そこで、パルス信号の生成を停止することで時計の動作を停止し、消費電力の無駄を防止できると共に時計の故障をユーザなどに知らせることができることとなる。
【００２３】
例えば、分針が１２時を指すときに輪列に高負荷がかかるようにした場合、通常では、輪列に一時間に一回だけ高負荷がかかるとする。ここで、輪列に一時間に一回以上高負荷がかかった場合、すなわち第２補助駆動パルスの出力回数が２になった場合は設計上予測していない高負荷が存在することになるから、時計が故障していることが判る。かかる場合は、パルス信号の生成を停止して時計の動作を停止させることで消費電力の無駄を防止すると共に時計の故障をユーザなどに知らせることができる。
【００２４】
また、本発明に係る電子時計は、上記電子時計において、前記モータの回転回数が、輪列に高負荷がかかる周期に対応する回転回数に達する間に前記第２補助駆動パルスの出力回数をカウントするパルス出力回数計数手段と、その第２補助駆動パルスの出力回数が所定の回数以上になったとき、前記パルス信号の出力間隔を変更するための制御信号を前記パルス制御手段に出力するパルス回数判定手段とを具備したものである。
【００２５】
また、本発明に係る指針位置検出方法は、上記指針位置検出方法において、前記モータの回転回数が輪列に高負荷がかかる周期に対応する回転回数に達する間に前記第２補助駆動パルスの出力回数をカウントし、その出力回数が所定回数以上になったときに前記パルス信号の出力の間隔を変更するものである。
【００２６】
すなわち、本発明は、最初に第２補助駆動パルスが出力されたときからモータの回転回数をカウントし、その回転回数が輪列に高負荷がかかる周期に対応する回転回数に達する間に出力される第２補助駆動パルスの出力回数をカウントするようにしたものである。なお、その第２補助駆動パルスの出力回数が所定回数以上になったときは、何らかの原因で予測していない高負荷が輪列にかかっていること、すなわち時計が故障していることになる。そこで、パルス信号の出力間隔を変更することによって時計の指針に異常な動作をさせるようにした。このようにすれば、時計の故障を知らせることができる。
【００２７】
例えば、分針が１２時を指すときに輪列に高負荷がかかるようにした場合は、輪列に一時間に一回だけ高負荷がかかる。ここで、輪列に一時間に一回以上高負荷がかかった場合、すなわち第２補助駆動パルスの出力回数が２になった場合は時計が故障していることが判る。この場合は、パルス信号の間隔を変更することことによって通常１秒間隔で動く秒針を５秒間隔で動くようにし、時計の故障をユーザに知らせるようにする。
【００２８】
また、本発明に係る電子時計は、基準信号を発生する基準信号発生手段と、前記基準信号に基づいて強度が異なる複数のパルス信号をモータに出力してそのモータを駆動するパルス制御手段と、前記モータにより回転する輪列と、前記輪列により回転する表示手段と、前記表示手段の所定の位置を検出する位置検出手段と、前記モータの回転・非回転を検出して回転信号または非回転信号を出力する回転判定手段とを具備し、前記輪列に一定周期で連続的に複数回高負荷をかける高負荷手段を設け、輪列に高負荷がかかった場合であって所定強度以上のパルス信号を連続して複数回前記モータに出力したときにのみモータが回転し、前記パルス制御手段は、通常駆動パルスを出力し、その通常駆動パルスの出力後に前記回転判定手段から非回転信号が出力された場合に前記通常駆動パルスよりも大きな強度の第１補助駆動パルスを出力し、その第１補助駆動パルスの出力後に前記回転判定手段から非回転信号が出力された場合に前記第１補助駆動パルスよりも大きく前記所定強度以上の第２補助駆動パルスを出力し、前記位置検出手段は、前記第２補助駆動パルスが連続して複数回出力され且つその後に前記通常駆動パルスまたは前記第１補助駆動パルスを出力して前記回転判定手段から回転信号が出力されたときに、前記表示手段が前記所定の位置にあると判定するものである。
【００２９】
また、本発明に係る指針位置検出方法は、表示手段が所定の位置にきたことを検出する指針位置検出方法において、前記表示手段を回転させる輪列に一定の周期で連続して複数回高負荷をかけ、高負荷がかかった場合であってその輪列を回転させるモータに所定強度以上のパルス信号を連続して複数回出力したときにのみモータが回転するようにし、前記モータに通常駆動パルスを出力してモータが回転したか否かを判定し、通常パルスにより前記モータが回転しない場合は前記モータに通常駆動パルスよりも大きな強度の第１補助駆動パルスを出力してモータが回転したか否かを判定し、第１補助駆動パルスにより前記モータが回転しない場合は前記モータに第１補助駆動パルスよりも大きく所定強度以上の第２補助駆動パルスを出力し、前記第２補助駆動パルスが連続して複数回出力されかつその後に前記通常駆動パルスまたは前記第１補助駆動パルスの出力後に前記モータが回転したときに、前記表示手段が前記所定の位置にあると判定するものである。
【００３０】
すなわち、本発明では、表示手段が所定の位置にくる前に輪列に連続して複数回高負荷がかかり、その高負荷がかかった場合であって所定強度以上のパルス信号を連続して複数回出力したときにのみモータが回転するようにし、第２補助駆動パルスが連続して複数回出力され且つその後、通常駆動パルスまたは第１補助駆動パルスによりモータが回転したとき、表示手段が所定位置にあると判断するようにした。このため、電子時計を動作させるために必要な構成を利用して指針の位置を検出することができる。
【００３１】
例えば、分針が１２時を指す５秒前に、第２補助駆動パルスを連続して５回出力しないとモータが回転しないような高負荷を輪列にかけるようにした場合、輪列に高負荷がかかったときにモータを回転させるためには第２補助駆動パルスを連続して５回出力することが必要となり、その後は通常駆動パルスまたは第１補助駆動パルスによって回転する。従って、第２補助駆動パルスを連続して５回出力したときは輪列に高負荷がかかったこととなり、その後、通常駆動パルスまたは第１補助駆動パルスで回転したときに分針が１２時を指していることが判るのである。
【００３２】
【発明の実施の形態】
以下、本発明の電子時計および指針位置検出方法について、添付の図面を用いて詳細に説明する。
〔実施の形態１〕
図１は、本発明の実施の形態１の電子時計のブロック図である。この電子時計１００は、発振回路１と、分周回路２と、計時回路３と、パルス制御回路４と、モータ駆動回路５と、モータ６と、輪列７と、指針８と、回転判定回路９と、指針位置検出回路１０とから構成されている。なお、発振回路１と、分周回路２と、計時回路３と、パルス制御回路４と、モータ駆動回路５と、回転判定回路９と、指針位置検出回路１０とは、１つの集積回路として一体化している。
【００３３】
発振回路１は、時計の基準信号として用いられている３２，７６８Ｈｚの信号を発振する。分周回路２は、前記基準信号を時計として必要な１秒信号にまで分周する。計時回路３は、前記１秒信号をカウントする。パルス制御回路４は、通常駆動パルスＰ１，第１補助駆動パルスＰ２や第２補助駆動パルスＰ３を生成して出力する。さらに第２補助駆動パルスＰ３を出力した場合に第２補助駆動パルスＰ３を出力したことを表すＰ３出力信号を指針位置検出回路１０に入力する。モータ駆動回路５は、パルス制御回路４から出力される駆動パルス（具体的には、その駆動パルスに基づく電流）をモータ６に供給する。
【００３４】
モータ６は、輪列７および指針８を回転する。輪列７の分針車は、分針が１２時を指すときに輪列７に高負荷Ｘ（２＜Ｘ≦３）がかかるように形成されている。これにより、分針が１２時を指す度に輪列７に高負荷がかかる。高負荷は、分針車の歯の形状を変更したり、カムを通過したりすることで付加することができる。
【００３５】
図２に示すように、第２補助駆動パルスＰ３のパルス幅ｈ３は第１補助駆動パルスＰ２のパルス幅ｈ２より大きい。また、第１補助駆動パルスＰ２のパルス幅ｈ２は通常駆動パルスＰ１のパルス幅ｈ１より大きい。なお、図２（ａ）に示すように、輪列にかかる負荷強度Ｘが０＜Ｘ≦１の場合は、モータ６は通常駆動パルスＰ１またはその通常駆動パルスＰ１より大きな強度の第１補助駆動パルスＰ２や第２補助駆動パルスＰ３で回転する。また、図２（ｂ）に示すように、輪列にかかる負荷強度Ｘが１＜Ｘ≦２の場合は、モータ６は第１補助駆動パルスＰ２またはその第１補助駆動パルスＰ２より大きな強度の第２補助駆動パルスＰ３で回転する。そして、図２（ｃ）に示すように、輪列にかかる負荷強度Ｘが２＜Ｘ≦３の場合は、すなわち分針が１２時を指すときは、モータ６は第２補助駆動パルスＰ３のみで回転する。
【００３６】
なお、図２（ｃ）に示すように通常駆動パルスＰ１と第１補助駆動パルスＰ２と第２補助駆動パルスＰ３とを連続して出力する場合は、通常駆動パルスＰ１の立ち上がりから第２補助駆動パルスＰ３の立ち下がりまでの時間が１秒以下である。なお、通常駆動パルスＰ１や第１補助駆動パルスＰ２の生成およびこれらの駆動パルスによる効果については、例えば特公昭６３−１８１４８号公報、特公昭６３−１８１４９号公報や特公和昭５７−１８４４０号公報に詳しく記載されているので、その説明は省略する。また、第２補助駆動パルスＰ３も、通常駆動パルスＰ１や第１補助駆動パルスＰ２と同じように生成すればよいので、その詳細な説明は省略する。
【００３７】
図３は、輪列７の負荷強度の変動を示したグラフ図である。通常、モータ６は１秒間隔で回転するから輪列７の負荷強度は１秒間隔で変動するが、説明の都合上、図３では輪列７の負荷強度の変動を１分間隔で示す。図３において、縦軸は輪列７の負荷強度であり、横軸は噛み合い位置である。なお、負荷強度が０＜Ｘ≦１の噛み合い位置（例えば、噛み合い位置２〜４）において、モータ６は通常駆動パルスＰ１で回転する。
【００３８】
一方、負荷強度が１＜Ｘ≦２の噛み合い位置（例えば、噛み合い位置５，６）において、モータ６は通常駆動パルスＰ１では回転せず第１補助駆動パルスＰ２または第２補助駆動パルスＰ３で回転する。そして、負荷強度が２＜Ｘ≦３の噛み合い位置（例えば、噛み合い位置３０）において、モータ６は通常駆動パルスＰ１または第１補助駆動パルスＰ２では回転せず第２補助駆動パルスＰ３でのみ回転する。なお、負荷強度が２＜Ｘ≦３の噛み合い位置３０は、分針車の構造によって輪列７に高負荷がかかる位置、すなわち分針が１２時を指す位置に対応する。
【００３９】
回転判定回路９は、パルス制御回路４から通常駆動パルスＰ１，第１補助駆動パルスＰ２や第２補助駆動パルスＰ３が出力されたときにモータ６が回転したかどうかを、モータ６に発生する誘起電圧に基づいて判定する。そして、パルス制御回路４から通常駆動パルスＰ１が出力されたときにモータ６が回転しないなら、通常駆動パルスＰ１でモータ６が回転しなかったことを表すＰ１非回転信号をパルス制御回路４に入力する。また、パルス制御回路４から第１補助駆動パルスＰ２が出力されたときにモータ６が回転しないなら、第１補助駆動パルスＰ２でモータ６が回転しなかったことを表すＰ２非回転信号をパルス制御回路４に入力する。
【００４０】
通常、パルス制御回路４は、消費電力が少ない通常駆動パルスＰ１を出力し、モータ６は、この通常駆動パルスＰ１で回転する。何らかの原因でモータ６の負荷強度が１を超えると、モータ６は通常駆動パルスＰ１で回転しないため、回転判定回路９はパルス制御回路４にＰ１非回転信号を入力する。パルス制御回路４は、回転判定回路９からＰ１非回転信号を受け取った場合、モータ駆動回路５は第１補助駆動パルスＰ２を出力する。
【００４１】
なお、図３に示した噛み合い位置３０では、すなわち分針が１２時を指すときは、モータ６に高負荷がかかるのでその負荷強度が２を超える。これにより、モータ６は第１補助駆動パルスＰ２で回転しないため、回転判定回路９は、パルス制御回路４にＰ２非回転信号を入力する。パルス制御回路４が、回転判定回路９からＰ２非回転信号を受け取った場合、モータ駆動回路５は第２補助駆動パルスＰ３を出力してモータ６を必ず回転させると共に、指針位置検出回路１０にＰ３出力信号を入力する。
【００４２】
このように、分針が１２時を指すときは、パルス制御回路４からは第２補助駆動パルスＰ３が出力される。言い換えれば、パルス制御回路４から第２補助駆動パルスＰ３が出力された場合は、分針が１２時を指していることとなる。なお、パルス制御回路４は、第２補助駆動パルスＰ３を出力した場合は、指針位置検出回路１０にＰ３出力信号を出力する。指針位置検出回路１０は、Ｐ３出力信号を受け取った場合、分針が１２時を指しているとして、例えば時報を鳴らす回路（図示省略）に時報信号を出力する。これにより、分針が１２時を指したときに時報が鳴る。
【００４３】
図４に、上記電子時計１００の動作のフローチャートを示す。ステップＳ１では、パルス制御回路４は、通常駆動パルスＰ１を出力する。ステップＳ２では、回転判定回路９は、モータ６が回転したか否かを判定し、モータ６が回転しなかった場合はパルス制御回路４にＰ１非回転信号を入力する。パルス制御回路４は、所定の時間内に回転判定回路９からＰ１非回転信号が出力されなかった場合、すなわち通常駆動パルスＰ１でモータ６が回転した場合、ステップＳ１に戻ってつぎの通常駆動パルスＰ１を出力する。
【００４４】
パルス制御回路４は、回転判定回路９からＰ１非回転信号を受け取った場合、すなわち通常駆動パルスＰ１でモータ６が回転しなかった場合、ステップＳ３で第１補助駆動パルスＰ２を出力する。ステップＳ４では、回転判定回路９は、モータ６が回転したか否かを判定し、モータ６が回転しなかった場合はパルス制御回路４にＰ２非回転信号を入力する。パルス制御回路４は、所定の時間内に回転判定回路９からＰ２非回転信号が出力されなかった場合、すなわち第１補助駆動パルスＰ２でモータ６が回転した場合、ステップＳ１に戻ってつぎの通常駆動パルスＰ１を出力する。
【００４５】
パルス制御回路４は、回転判定回路９からＰ２非回転信号を受け取った場合、すなわち第１補助駆動パルスＰ２でモータ６が回転しなかった場合、ステップＳ５で第２補助駆動パルスＰ３を出力すると共に、Ｐ３出力信号を指針位置検出回路１０に入力する。ステップＳ６では、指針位置検出回路１０は、時報を鳴らす回路に時報信号を出力する。
【００４６】
上記のように、電子時計１００では、指針の所定の位置で輪列７に高負荷がかかるようにし、通常はモータ６を通常駆動パルスＰ１または第１補助駆動パルスＰ２で回転させ、輪列７に高負荷がかかったときにのみモータ６を第２補助駆動パルスＰ３で回転させる。このため、第２補助駆動パルスＰ３を出力したときに指針が所定の位置にきたことになるから、電子時計を動作させるために必要な最低限の構成を利用して指針の位置を検出することができ、指針の位置を検出するための個別の構成や電気的素子が不要となって時計のコンパクト化、コストダウンおよび消費電力の低減化が可能となる。
【００４７】
なお、上記では、分針が１２時を指したことを検出して時報を鳴らす場合に本発明を適用するように説明したが、これに限られず、夜の１２時にカレンダを回す場合や外部から受信した電波に基づいて時刻を合わせるなどの場合に本発明を適用するようにしてもよい。
【００４８】
〔実施の形態２〕
図５は、本発明の実施の形態２の電子時計のブロック図である。この電子時計１０１は、上記実施の形態１の電子時計１００において、回転判定回路９から指針位置検出回路１０にＰ２非回転信号を入力するようにしたものである。なお、これ以外の構成は、上記実施の形態１の電子時計１００と同様であるので、その説明は省略する。なお、上記実施の形態１の電子時計１００と同様に、輪列７の分針車は、分針が１２時を指すときに輪列７に高負荷Ｘ（２＜Ｘ≦３）がかかるように形成している。
【００４９】
回転判定回路９は、パルス制御回路４から通常駆動パルスＰ１，第１補助駆動パルスＰ２や第２補助駆動パルスＰ３が出力されたときにモータ６が回転したかどうかを判定する。そして、パルス制御回路４から通常駆動パルスＰ１が出力されたときにモータ６が回転しないなら、パルス制御回路４にＰ１非回転信号を入力する。また、パルス制御回路４から第１補助駆動パルスＰ２が出力されたときにモータ６が回転しないなら、パルス制御回路４と指針位置検出回路１０にＰ２非回転信号を入力する。
【００５０】
図３に示した噛み合い位置３０では、すなわち分針が１２時を指すときは、モータ６に高負荷がかかるのでその負荷強度が２を超える。これにより、モータ６は第１補助駆動パルスＰ２で回転しないため、回転判定回路９はパルス制御回路４と指針位置検出回路１０にＰ２非回転信号を入力する。パルス制御回路４は、回転判定回路９からＰ２非回転信号を受け取った場合、モータ駆動回路５に第２補助駆動パルスＰ３を出力してモータ６を必ず回転させると共に、指針位置検出回路１０にＰ３出力信号を入力する。
【００５１】
このように、分針が１２時を指すときは、指針位置検出回路１０に、回転判定回路９からはＰ２非回転信号が入力され、パルス制御回路４からはＰ３出力信号が入力される。このように、指針位置検出回路１０は、Ｐ２非回転信号とＰ３出力信号により、分針が１２時を指していることを２重に検出する。指針位置検出回路１０は、Ｐ２非回転信号とＰ３出力信号を受け取った場合、分針が１２時を指しているとして、例えば時報を鳴らす回路（図示省略）に時報信号を出力する。これにより、分針が１２時を指したときに時報が鳴る。
【００５２】
なお、上記実施の形態２の電子時計では、パルス制御回路４から指針位置検出回路１０にＰ３出力信号を入力するように説明したが、回転判定回路９からのＰ２非回転信号により分針の位置を検出できるので、パルス制御回路４から指針位置検出回路１０にＰ３出力信号を入力しないようにしてもよい。これにより、パルス制御回路４のＰ３出力信号を出力するための回路が不要となる。
【００５３】
上記のように、電子時計１０１では、指針が所定の位置にきたときに、指針位置検出回路１０に、回転判定回路９からはＰ２非回転信号を入力し、パルス制御回路４からはＰ３出力信号を入力する。このため、指針の位置を２重に検出することが可能となるから検出精度が向上する。
【００５４】
〔実施の形態３〕
図６は、本発明の実施の形態３の電子時計のブロック図である。この電子時計１０２は、上記実施の形態２の電子時計１０１において、回転回数計数回路１１と回転回数判定回路１２とを追加した構成である。なお、上記実施の形態２の電子時計１０１と同様に、輪列７の分針車は、分針が１２時を指すときに輪列７に高負荷Ｘ（２＜Ｘ≦３）がかかるように形成されている。
【００５５】
回転判定回路９は、パルス制御回路４から通常駆動パルスＰ１，第１補助駆動パルスＰ２や第２補助駆動パルスＰ３が出力されたときにモータ６が回転したかどうかを判定する。そして、パルス制御回路４から通常駆動パルスＰ１が出力されたときにモータ６が回転しないなら、パルス制御回路４にＰ１非回転信号を入力する。また、パルス制御回路４から第１補助駆動パルスＰ２が出力されたときにモータ６が回転しないなら、パルス制御回路４と指針位置検出回路１０にＰ２非回転信号を入力すると共に、回転回数計数回路１１にモータ６の回転回数をリセットするためのリセット信号を入力する。
【００５６】
さらに、回転判定回路９は、パルス制御回路４から通常駆動パルスＰ１が出力されたときにモータ６が回転したなら、通常駆動パルスＰ１でモータ６が回転したことを表すＰ１回転信号を回転回数計数回路１１に入力する。また、パルス制御回路４から第１補助駆動パルスＰ２が出力されたときにモータ６が回転したなら、第１補助駆動パルスＰ２でモータ６が回転したことを表すＰ２回転信号を回転回数計数回路１１に入力する。
【００５７】
回転回数計数回路１１は、回転判定回路９から、Ｐ１回転信号とＰ２回転信号を何回受け取ったか、すなわちモータ６が何回回転したかをカウントし、そのカウントに基づく回転回数信号を回転回数判定回路１２に入力する。回転回数判定回路１２には、輪列に高負荷がかかる周期に対応するモータ６の回転回数が予め設定されている。回転回数判定回路１２は、回転回数計数回路１１から受け取った回転回数信号に基づく回転回数がその予め設定されている回転回数に達したときに、パルス制御回路４にＰ３出力制御信号を入力する。パルス制御回路４は、回転回数判定回路１２によりこのＰ３出力制御信号を受け取った場合、パルス制御回路４は、通常駆動パルスＰ１または第１補助駆動パルスＰ２を出力せず直接第２補助駆動パルスＰ３をモータ駆動回路５に出力する。
【００５８】
図７に、上記電子時計１０２の動作のフローチャートを示す。ステップＲ１では、回転回数計数回路１１は回転回数Ｎ＝１として初期化し、回転回数判定回路１２に最大回転回数Ｍを設定する。なお、モータ６は、一秒に一回転するとして一時間に３６００回転する。これにより、１２時を指している分針は、モータ６が３６００回転した後にもう一度１２時を指すことになる。従って、分針が１２時を指すときに時報を鳴らす場合は、輪列に高負荷がかかる周期は「一時間に一回」となり、その周期に対応するモータ６の最大回転回数Ｍは３６００となる。従って、回転回数判定回路１２に最大回転回数Ｍとして３６００を予め設定しておく。
【００５９】
ステップＲ２では、回転回数判定回路１２は、回転回数計数回路１１から送られてきた回転回数信号に基づいてＮ＝Ｍか否かを判定する。なお、Ｎ＝Ｍなら動作がステップＲ８に進み、Ｎ≠Ｍなら動作がステップＲ３に進む。ステップＲ３では、パルス制御回路４は、通常駆動パルスＰ１を出力する。ステップＲ４では、回転判定回路９は、モータ６が回転したか否かを判定し、モータ６が回転したなら回転回数計数回路１１にＰ１回転信号を出力し、モータ６が回転しなかったならパルス制御回路４にＰ１非回転信号を出力する。ステップＲ７では、回転回数計数回路１１は、回転判定回路９からＰ１回転信号を受け取ったので、回転回数Ｎの値を１つだけ増やす。
【００６０】
パルス制御回路４は、回転判定回路９からＰ１非回転信号が出力された場合、すなわち通常駆動パルスＰ１でモータ６が回転しなかった場合、ステップＲ５で第１補助駆動パルスＰ２を出力する。ステップＲ６では、回転判定回路９は、モータ６が回転したか否かを判定し、モータ６が回転したなら回転回数計数回路１１にＰ２回転信号を出力し、モータ６が回転しなかったならパルス制御回路４にＰ２非回転信号を出力する。ステップＲ７では、回転回数計数回路１１は、回転判定回路９からＰ２回転信号を受け取ったので、回転回数Ｎの値を１つだけ増やす。
【００６１】
パルス制御回路４は、回転判定回路９からＰ２非回転信号が出力された場合、すなわち第１補助駆動パルスＰ２でモータ６が回転しなかった場合、ステップＲ８で第２補助駆動パルスＰ３を出力すると共に指針位置検出回路１０にＰ３出力信号を入力する。ステップＲ９では、指針位置検出回路１０は、時報を鳴らす回路に時報信号を出力する。そして、電池がなくならない限り、ステップＲ１〜ステップＲ９の動作が繰り返して実行される。
【００６２】
図３を用いて説明すると、時計の動作を開始したときから、初めて噛み合い位置３０になったときは、回転回数Ｎが最大回転回数Ｍに達していないが、回転判定回路９は、第１補助駆動パルスＰ２でモータ６が回転しないため、リセット信号を回転回数計数回路１１に入力する。これにより、回転回数計数回路１１は、回転回数Ｎを１に初期化する。
【００６３】
その後、回転回数Ｎが最大回転回数Ｍに達したとき（ステップＲ２のＹｅｓ）、は、モータ６が３６００回回転して再度噛み合い位置３０となり、モータ６は第２補助駆動パルスＰ３でしか回転しないことになる。そこで、回転回数Ｎが最大回転回数Ｍに達したときは、回転回数判定回路１２からパルス制御回路４にＰ３出力制御信号を入力して、そのパルス制御回路４から第２補助駆動パルスＰ３を出力させる。
【００６４】
上記のように、電子時計１０２では、回転回数Ｎが最大回転回数Ｍに達したときは、輪列に高負荷がかかってモータは第２補助駆動パルスＰ３でないと回転しないことになるので、パルス制御回路４からは直接第２補助駆動パルスＰ３を出力する。このため、通常駆動パルスＰ１や第１補助駆動パルスＰ２を出力するために消費される電力をセーブすることが可能となる。
【００６５】
〔実施の形態４〕
図８は、本発明の実施の形態４の電子時計のブロック図である。この電子時計１０３は、上記実施の形態３の電子時計１０２において、Ｐ３出力回数計数回路１３とＰ３出力回数判定回路１４とを追加した構成である。なお、上記実施の形態２の電子時計１０１と同様に、輪列７の分針車は、分針が１２時を指すときに輪列７に高負荷Ｘ（２＜Ｘ≦３）がかかるように形成されている。
【００６６】
回転判定回路９は、パルス制御回路４から通常駆動パルスＰ１，第１補助駆動パルスＰ２や第２補助駆動パルスＰ３が出力されたときにモータ６が回転したかどうかを判定する。そして、パルス制御回路４から通常駆動パルスＰ１が出力されたときにモータ６が回転しないなら、パルス制御回路４にＰ１非回転信号を入力する。また、パルス制御回路４から第１補助駆動パルスＰ２が出力されたときにモータ６が回転しないなら、パルス制御回路４と指針位置検出回路１０にＰ２非回転信号を入力すると共に、回転回数計数回路１１にモータ６の回転回数をリセットするためのリセット信号Ａを入力する。
【００６７】
指針位置検出回路１０は、Ｐ３出力回数計数回路１３にＰ３出力信号を入力する。Ｐ３出力回数計数回路１３は、Ｐ３出力信号を何回受け取ったか、すなわち、パルス制御回路４から第２補助駆動パルスＰ３が何回出力されたかをカウントし、そのカウントに基づくＰ３出力回数信号をＰ３出力回数判定回路１４に入力する。
【００６８】
回転回数計数回路１１は、回転判定回路９から、Ｐ１回転信号とＰ２回転信号を何回受け取ったか、すなわちモータ６が何回転したかをカウントし、そのカウントに基づく回転回数信号を回転回数判定回路１２に入力する。回転回数判定回路１２には、輪列に高負荷がかかる周期に対応するモータの回転回数が予め設定されている。回転回数判定回路１２は、回転回数計数回路１１から受け取った回転回数信号に基づく回転回数がその予め設定されている回転回数に達したときに、パルス制御回路４にＰ３出力制御信号を入力すると共にＰ３出力回数計数回路１３がカウントしているＰ３出力回数をリセットするためのリセット信号ＢをそのＰ３出力回数計数回路１３に入力する。
【００６９】
Ｐ３出力回数判定回路１４には、輪列に高負荷がかかる周期に対応する第２補助駆動パルスＰ３の出力回数が予め設定されている。Ｐ３出力回数判定回路１４は、Ｐ３出力回数計数回路１３から受け取ったＰ３出力回数信号に基づく出力回数がその予め設定されている出力回数以上になったときに、パルス制御回路４にパルス出力停止信号を入力する。パルス制御回路４は、Ｐ３出力回数計数回路１３よりパルス出力停止信号を受け取った場合、通常駆動パルスＰ１，第１補助駆動パルスＰ２や第２補助駆動パルスＰ３などの駆動パルスの出力を停止する。これにより、時計の動作が停止する。
【００７０】
モータ６は、一秒に一回転するとして一時間に３６００回転する。分針が１２時を指すときに輪列に高負荷がかかるので、モータ６が３６００回転する間に一回だけ第２駆動パルスＰ３を必要とする。そこで、Ｐ３出力回数判定回路１４に出力回数として１を設定しておくと、モータ６が３６００回転する間にパルス制御回路４から第２駆動パルスＰ３が２回目出力された場合は、モータ６に予測できない高負荷がかかっていること、すなわち時計が故障していることになる。このように、時計の故障を検出した場合、Ｐ３出力回数判定回路１４からパルス制御回路４にパルス出力停止信号が入力されて時計が停止する。
【００７１】
上記のように、電子時計１０３では、第２補助駆動パルスＰ３の出力回数に基づいて時計が正常に動作しているかどうかを判定し、時計の故障を検出した場合に時計の動作を停止する。これにより、消費電力の無駄を防ぐことができると共に、時計の故障を持ち主に知らせることが可能となる。
【００７２】
なお、上記実施の形態では、時計の故障を検出した場合に時計の動作を停止するように説明したが、パルス制御回路４から出力される駆動パルスの間隔を変更するようにしてもよい。例えば、駆動パルスは通常１秒に１回出力されるが、時計の故障を検出した場合に、駆動パルスを５秒間隔で５回出力するようにすれば、消費電力の無駄を防ぐことができると共に、時計の故障を持ち主に知らせることが可能となる。
【００７３】
〔実施の形態５〕
図９は、本発明の実施の形態５の電子時計のブロック図である。この電子時計１０４では、上記実施の形態１の電子時計１００において、回転判定回路９から指針位置検出回路１０にＰ１回転信号およびＰ２回転信号を入力するようにしたものである。また、輪列７の分針車は、分針が１２時を指す５秒前から輪列７に連続して５回高負荷Ｘ（２＜Ｘ≦３）がかかるように形成されている。これ以外の構成は、上記実施の形態１の電子時計１００と同様なので、その説明は省略する。
【００７４】
図１０は、輪列７の負荷強度の変動を１秒間隔で示したグラフ図である。図１０において、縦軸は輪列７の負荷強度であり、横軸は噛み合い位置である。なお、負荷強度が０＜Ｘ≦１の噛み合い位置（例えば、噛み合い位置１７９１，１７９２）において、モータ６は通常駆動パルスＰ１で回転する。
【００７５】
一方、負荷強度が１＜Ｘ≦２の噛み合い位置（例えば、噛み合い位置１７９３，１７９４）において、モータ６は通常駆動パルスＰ１では回転せず第１補助駆動パルスＰ２または第２補助駆動パルスＰ３で回転する。そして、負荷強度が２＜Ｘ≦３の噛み合い位置（例えば、噛み合い位置１７９５〜１７９９）において、モータ６は通常駆動パルスＰ１または第１補助駆動パルスＰ２では回転せず第２補助駆動パルスＰ３でのみ回転する。なお、負荷強度が２＜Ｘ≦３の噛み合い位置１７９５〜１７９９は、分針車の構造によって輪列７に連続的５回高負荷がかかる位置に対応し、噛み合い位置１８００は分針が１２時を指す位置に対応する。
【００７６】
回転判定回路９は、パルス制御回路４から通常駆動パルスＰ１が出力されたときにモータ６が回転したなら、Ｐ１回転信号を指針位置検出回路１０に入力する。また、回転判定回路９は、パルス制御回路４から第１補助駆動パルスＰ２が出力されたときにモータ６が回転したなら、Ｐ２回転信号を指針位置検出回路１０に入力する。また、パルス制御回路４は、第２補助駆動パルスＰ３を出力したときに、指針位置検出回路１０にＰ３出力信号を入力する。これにより、指針位置検出回路１０は、パルス制御回路４から第２補助駆動パルスＰ３が連続的に５回出力され、その後モータ６が通常駆動パルスＰ１または第１補助駆動パルスＰ２で回転したかどうかを判定することができる。
【００７７】
指針位置検出回路１０は、パルス制御回路４から入力されるＰ３出力信号に基づいて、第２補助駆動パルスＰ３が何回出力されたかをカウントし、そのカウントが５回になってかつその後に回転判定回路９からＰ１回転信号またはＰ２回転信号を受け取った場合、分針が１２時を指しているとして、例えば時報を鳴らす回路（図示省略）に時報信号を出力する。これにより、分針が１２時を指したときに時報が鳴る。
【００７８】
上記のように、電子時計１０４では、第２補助駆動パルスＰ３が連続的に複数回出力されその後にモータ６が通常駆動パルスＰ１または第１補助駆動パルスＰ２に回転したときに指針が所定の位置にきたことになるから、電子時計を動作させるために必要な最低限の構成を利用して指針の位置を検出することができ、指針の位置を検出するための個別の構成や電気的素子が不要となって時計のコンパクト化、コストダウンおよび消費電力の低減化が可能となる。
【００７９】
【発明の効果】
以上説明したように、本発明の電子時計および指針位置検出方法では、表示手段が所定の位置にきたときに輪列に高負荷がかかり、その高負荷がかかったときにパルス制御手段が第２補助駆動パルスを出力する。このため、パルス制御手段から第２補助駆動パルスが出力されたときは表示手段が所定位置にきたことになり、電子時計を動作させるために必要な最低限の構成を利用して指針の位置を検出することができ、指針の位置を検出するための個別の構成や電気的素子が不要となるので時計のコンパクト化、コストダウンおよび消費電力の低減化が可能となる。
【００８０】
また、本発明の電子時計および指針位置検出方法では、第１補助駆動パルスの出力後に回転判定手段から非回転信号が出力されたときに指針が所定位置にきたと判定する。なお、第１補助駆動パルスの出力後にモータが回転しない場合は、輪列に高負荷がかかっていること、すなわち表示手段が所定位置にきたことになり、電子時計を動作させるために必要な最低限の構成を利用して指針の位置を検出することができ、指針の位置を検出するための個別の構成や電気的素子が不要となるので時計のコンパクト化、コストダウンおよび消費電力の低減化が可能となる。
【００８１】
また、本発明の電子時計および指針位置検出方法では、輪列に高負荷がかかる位置において、通常駆動パルスまたは第１補助駆動パルスを出力せず直接第２補助駆動パルスを出力する。これにより、通常駆動パルスまたは第１補助駆動パルスを出力するための消費電力の無駄を防ぐことが可能となる。
【００８２】
また、本発明の電子時計および指針位置検出方法では、予め分かっている回数よりも第２補助駆動パルスが多く出力された場合は、時計が故障しているとして、時計の動作を停止させる。これにより、駆動パルスを出力するための消費電力の無駄を防ぐことと、時計の故障をユーザに知らせることが可能となる。
【００８３】
また、本発明の電子時計および指針位置検出方法では、予め分かっている回数よりも第２補助駆動パルスが多く出力された場合は、時計が故障しているとして、駆動パルスの出力の間隔を変更する。これにより、時計の故障をユーザに知らせることが可能となる。
【００８４】
また、本発明の電子時計および指針位置検出方法では、表示手段が所定の位置にくる前に輪列に連続して複数回高負荷がかかり、その高負荷がかかったときにパルス制御手段は第２補助駆動パルスを連続して複数回出力する。このため、パルス制御手段から第２補助駆動パルスが出力され且つその後通常駆動パルスまたは第１補助駆動パルスでモータが回転したたときは、表示手段が所定位置にきたことになり、電子時計を動作させるために必要な最低限の構成を利用して指針の位置を検出することができると共に、指針の位置を検出するための個別の構成や電気的素子が不要となるので時計のコンパクト化、コストダウンおよび消費電力の低減化が可能となる。
【図面の簡単な説明】
【図１】本発明の実施の形態１の電子時計のブロック図である。
【図２】通常駆動パルス、第１補助駆動パルスおよび第２補助駆動パルスの説明図である。
【図３】負荷強度の変動のグラフ図である。
【図４】図１の電子時計の動作を示すフローチャートである。
【図５】本発明の実施の形態２の電子時計のブロック図である。
【図６】本発明の実施の形態３の電子時計のブロック図である。
【図７】図６の電子時計の動作を示すフローチャートである。
【図８】本発明の実施の形態４の電子時計のブロック図である。
【図９】本発明の実施の形態５の電子時計のブロック図である。
【図１０】負荷強度の変動のグラフ図である。
【符号の説明】
１００          電子時計
１          発振回路
２          分周回路
３          計時回路
４          パルス制御回路
５          モータ駆動回路
６          モータ
７          輪列
８          指針
９          回転判定回路
１０          指針位置検出回路
【図１】
0003625395.tif 000002
【図２】
0003625395.tif 000003
【図３】
0003625395.tif 000004
【図４】
0003625395.tif 000005
【図５】
0003625395.tif 000006
【図６】
0003625395.tif 000007
【図７】
0003625395.tif 000008
【図８】
0003625395.tif 000009
【図９】
0003625395.tif 000010
【図１０】
0003625395.tif 000011